(57)【特許請求の範囲】
【請求項１】
手摺（Ｔ）の部材（１）を立っている人か又は便器（４）等に腰掛けている人が、手（Ｈ）を上下して、掴み、体（Ｍ）を支えることができる長さとし、該部材（１）の下方部分の高さ位置が前記立っている人又は腰掛けている人の体（Ｍ）の腰のあたりである中心部（Ｇ）の高さ位置と略一致するように、ドアー（２１）ノブ（２４）の近傍又は便器（４）の前方横壁等に縦方向に取付、該取付られた部材（１）の外径形状は、前記立っている人又は腰掛けている人の指（Ｈ）が、その人の体（Ｍ）の腰のあたりである中心部（Ｇ）に対して、上方位置に移るに従って握り勝手となる性質に合致するよう、手摺（Ｔ）部材（１）の外径下方を太く、上方を細くし、かつ、その外径の変化を連続的に形成してなる手摺。
【請求項２】
手摺（Ｔ）の部材（１）を便器（４）、肘掛椅子（Ｋ）等に腰掛けている人が、手（Ｈ）を前後して、掴み、体を支持できる長さとし、該部材（１）を前記腰掛けている人の体（Ｍ）の腰のあたりである中心部（Ｇ）横近くより腰掛けている人の前方に向けて配設し、該配設さられた部材（１）の外径形状は、腰掛けた人の指（Ｈ）が、その人の体（Ｍ）の前記中心部（Ｇ）に対して、前方向に遠ざかるに従って、握り勝手となる性質に合致するよう、手摺（Ｔ）部材（１）の外径を、前記中心部（Ｇ）近くを太くし、該中心部（Ｇ）より遠方を細くし、かつ、その外径の変化を連続的に形成してなる手摺。
【請求項３】
手摺（Ｔ）の部材（１）を、便器（４）椅子等に腰掛けている人が、手（Ｈ）を斜め前方の立ち上がり方向に前後して、掴み、体を支持できる長さとし、該部材（１）を前記腰掛けている人の体の腰のあたりである中心部（Ｇ）横近くより斜め前方の立ち上がり動線に沿って配設し、該配設された部材（１）の外径形状は、腰掛けた人の指（Ｈ）が、その人の体（Ｍ）の腰のあたりである中心部（Ｇ）に対して、立ち上がり方向へ遠ざかるに従って、握り勝手となる性質に合致するよう、手摺（Ｔ）部材（１）の外径を、体（Ｍ）中心部（Ｇ）近くを太くし、該中心部（Ｇ）より斜め前方の遠方を細くし、かつ、その外径の変化を連続的に形成してなる手摺。
【請求項４】
手摺（Ｔ）を扁平部材（１４）で形成してなる前請求項１，２，３のいずれか１項記載の手摺。
【請求項５】
手摺（Ｔ）の外形（１８）を連続的な凹凸外形（１８ａ）に形成してなる前請求項１，２，３，４のいずれか１項記載の手摺。
【請求項６】
手摺（Ｔ）の平行部材（１５）の外周に装着部材（７）を装着し、その外径に変化を形成してなる前請求項１、２、３、４、５のいずれか１項記載の手摺。
【発明の詳細な説明】
【０００１】
【産業上の利用分野】
本発明は、一般的に用いられている手摺の構造及び形状に関するものである  。
【０００２】
【従来の技術】
従来の手摺は上下、または、左右平行の部材からなる丸、角のパイプ状、あるいは、扁平状で、その太さ、または、外形は平行部材がほとんどであった。また、全くの平行部材でなくても「手摺レ−ルを握った時に、すべりにくく、力が入るよう表面に凹凸を付けた。」（実開昭６３−４０４２６号公報明細書第１頁１３行目〜１５行目参照）もの、「棒状材１の外面に手で握ったとき指の腹が収まる複数状の凹状２を……形成して成る」（実開平６−５８０３０号公報第３頁第１９行目〜２１行目参照）もの等で、部分的に変化させたものがある。
【０００３】
【発明が解決しょうとする課題】
従来の、外形が平行なものは、握力の弱った高齢者や、リハビリ中の方にとっては、手摺が有りながら、手摺を掴みにくかったり、滑りやすかったりして、危険であった。
【０００４】
また、部分的な変化で、手摺レ−ルの表面に凹凸をつけたものや、複数状の凹条を形成したものは、指先による滑りに対する抵抗を一部強めたことにはなるが、体の上下位置に対する手摺の外径の変化によって、手摺の外周を握る手の形に合わせて、手先の力が弱くなったり、障害のある方でも、手摺を掴みやすくして、体を安定的に引き付けておくものではない。
【０００５】
以上のことから、本発明は、体の中心部の位置と手の位置との距離によって  、指の開き具合が自然に変化する、という人間工学的な性質を利用して、形成した手摺である。すなわち、手の平が体の中心部である腰のあたりに自然に下がって、体の中心部に接近しているとき、手の指は略半開きでありながら開き勝手の状態で、平な面につかえたり、幅の広いものを掴むのに好都合である  。反対に、手の平が頭の真上に位置するような、体の中心部から遠ざかっているときは、手の指は自然に握り状態になっていて、木の枝や、鉄棒等の比較的細いものを掴むのに好都合にできている。このように手の自然な形に合わせて、手摺を形成し、手摺に対する手の掴みやすさ、自然な握力等を引きだして、体の安定、引き付け力を得、全体として、安全で確実性のある手摺を提供するものである。
【０００６】
【課題を解決するための手段】
上記の目的を達成するために、本発明では、手で握り締めるのに都合の良い断面をした長手の部材を体に合わせて縦方向に配設し、該部材の断面の外径の下方を大径に、上方を小径にし、かつその外径を連続的に形成してなる手摺。
【０００７】
また、前述の部材を体に合わせて横方向に配設し、該部材の断面の外径の、前記体中心位置近くを大径に、体中心位置から遠ざかるに従って小径にし、かつその外形を連続的に形成してなる手摺。
【０００８】
また、前述の部材を移動動作の体に合わせて任意の方向に配設し、該部材の断面の外径の、移動動作前の前記体中心位置近くを大径に、前記体中心位置から遠ざかるに従って小径にし、かつその外径を連続的に形成してなる手摺。
【０００９】
また、前記部材は、扁平や凹凸外形に形成したり、平行部材に装着部材を装着したり、あるいは、体の動線に沿って、前述各種部材、または、平行部材を組合せて、全体として一体の手摺を構成する。
【００１０】
【作用】
上記のような手摺を、玄関ドア−のノブ側で、該ノブより外側のドア−枠、または、ノブ近傍の壁に縦方向に取付、その取付位置は、手摺の上下の中程とノブの高さ位置とが略一致するようにする。ノブの位置は体の略中心部（成人で腰のあたり）より少し上に位置し、手の指は半開きの状態で、手摺を最適の握り太さにしておくと、その位置で最も楽に手摺を握ることができ、安定する  。また、手の平を手摺の握り位置より上方に持っていくと、手摺は、前記より細くなっていて、手も体の中心部より高くなって、手の指はさらに握り勝手になり、最適の握り状態が得られる。逆に、手を手摺の中程より下に持っていくと、手は体の中心部近くに位置して、手の指の開き状態は、半開きながら開き勝手になっていて、自然に太い手摺を掴んだり、握るのに好都合である。このように、手の指の開き状態と、手摺の太さとが略一致して、全体として、安定した握り状態となる。
【００１１】
また、洋風の便器に腰掛ていて、つぎに立上りの動作を助けるために、便器の横壁に手摺を体の動線に沿って取付けている場合、該手摺の手前側、すなわち、体の中心部（成人の腰のあたり）に近い部分を太く、中心部より遠ざかるに従って細くなるように配設する。この場合、手の平を手摺の手前側に位置させると、手摺は太く、手の指で手摺を掴むというより、支える形となって、体は安定し、排便の動作等が容易になる。また、手を手摺の中程より前、すなわち、体の中心部より離して持っていくと、体は自然に前傾し、あわせて、手の指も半開きの状態で、適度の太さの手摺中程を握り締めることとなって好都合であり、手摺の手前程太くなっているため、指先を手摺外周に沿わせて締め付けなくても、手が手摺上を滑ることはなく、体を容易に引き寄せて、立ち上がることが出来る。
【００１２】
また、路線バスや路線電車等の車両内の天井に、細い吊り棒を配設し、該吊り棒に引き続き、連続して、料金箱等に向かって、上側を細く、下側を太くして下方に降ろし縦方向の手摺とし、体の中心部あたりで、太い状態で横方向に配設し、横手摺とすると、天井の吊り棒は細く、体の中心部より最も離れ、かつ頭上に位置していて握りやすく、引き続き、上に細く、下に太い縦方向の手摺のため、体を引き付けておくのに手が手摺より滑ることなく、また、横移動は手摺が太くて、体を支えるのに便利よく、かつ、自然な状態で手摺を掴むことが出来、全体として、異種の手摺が連続的に配設されているから、移動の途中で手を手摺から離す必要がなく、移動中の車両の中では、特に安全である  。
【００１３】
【実施例】
実施例について図面を参照して説明すると、図１、図２において、Ｔは手摺で、玄関２のドア−２１枠２２外側壁２３に、上下方向長手に取付けられている。この手摺Ｔの上下位置は、該手摺Ｔの中程を、前記ドア−２１のノブ２４の取付位置と略同じ高さの位置としている。手摺Ｔの取付には、手摺Ｔの上下適所より突き出した脚１１、１１の取付座１２、１２を壁２３に当てがって、ビス（図示してない）等で締結すればよい。
手摺Ｔの部材１の形状は、図２において、上下に長く、その全長は６００ｍｍくらい（必要により寸法はいくらでもよい）で、その上端部のＡ−Ａ線での断面形、中程のＢ−Ｂ線での断面形、及び下端部のＣ−Ｃ線での断面形を各々図３に図示する形状としている。図３では、Ａ−Ａ断面は断面（３ａ）のように略丸形をしており、その外径は小さく小径ｓとし、実際は２５ｍｍくらい、Ｂ−Ｂ断面は断面（３ｂ）のように丸面取形をしており、その外径は中間の中径ｎとし、実際は３５ｍｍくらい、Ｃ−Ｃ断面は断面（３ｃ）のように略正方形をしてなり、その１辺は大きく大径ｍとし、実際は４０ｍｍくらいである。
この実施例において、部材１の材質は木材、またはプラスチックがよく、形状的に上部が断面丸形で、下部が断面角形とし、中間を連続した丸面取の断面に仕上ると、無意識的に手摺Ｔを握ったときに、その握った位置を手Ｈで大体確認でき、使用者に安心感を与え、さらに、手Ｈが手摺Ｔの下部に移るほど、部材１の断面が角形になって、掴みやすくなる。
もちろん、通常の場合、上下端部共丸型が製作も容易で、使用上問題ない。
【００１４】
図４、図５は、人の体Ｍおよび手Ｈと手摺Ｔとの位置関係を図示したもので、図４において、人が玄関２に近づき、片方の手Ｈで手摺Ｔを握り、もう一方の手Ｈでドア−２１のノブ２４をもって、ドア−２１を開こうとすると、手Ｈは通常は、手摺Ｔの部材１の中程の位置、すなわち、体Ｍの中心部Ｇより少し上の位置で、手Ｈの指は中程Ｂの開き状態（通常この位置での手摺の握り易さの太さを標準としている）で部材１を握るのである。ところが、図５のように、高齢者や障害者にとっては、必ずしも手摺Ｔの部材１の中程Ｂの位置を掴めるとは限らず、上端部Ａ位置や、下端部Ｃ位置を掴んだりする。上端部Ａ位置の場合、手Ｈは体Ｍの中心部Ｇよりかなり高く、離れているため、手Ｈの指は握り勝手となっているから、手摺１の太さは中程Ｂの位置より細く、握りやすい  。また、下端部Ｃ位置の場合、手Ｈは体Ｍの中心部Ｇと略同じ高さであるから、手Ｈの指は開き勝手となっているため、部材１の太さは中程Ｂ位置より太く、掴みやすく、かつ、体Ｍを支えやすい。
【００１５】
また、図６、図７、図８、図９は洋式のトイレ内の壁に取付けられた手摺Ｔの変形例を図示したものである。図６おいて、便器４に腰掛て排便中は、体Ｍの中心部Ｇに近い高さに配設された手摺Ｔで、その太さに変化のない横部材１１６とし、連続して、体Ｍの立上り動線に沿って、斜め上方に向けて、傾斜部材１３ｆを配設し、この部分は下方が太く、上方に従って細く形成してなり、上端部を細い平行部材１５で構成している。従って、立上り時に動線に沿って手摺Ｔの傾斜部材１３ｆが配設されていて、手Ｈで体Ｍを引き上げるのに、手摺Ｔが手元程太い傾斜部材１３ｆであるから、手Ｈが滑りにくい。
【００１６】
また、図７、図８において、手摺Ｔは水平に配設された扁平部材１４からなっていて、便器４の側方部を水平部材１４ｅとし、便器４に腰掛て（体Ｍ、手Ｈ等は図示していない）、手Ｈの肘を載置しながら、前方の先細部材１４ｆを掴んでいると、体Ｈは安定し、立ち上がる時に、先細部材１４ｆのさらに先を握ると、より握り易く、立上りを容易にし、先端部材１４ｇを押さえて立上りを完了する。
また、先端部１４ｇは先端が丸く、下方に曲がっていて、体Ｍの逆方向の動きの妨げにならない形状としている。
【００１７】
また、図９は図６、図７の変形例を示し、トイレ内での人の立上り動線に沿って配設した手摺Ｔで、（９ａ）の場合、手摺Ｔを便器４の前方で垂直方向に取付けると、その場で立上りの動作が容易である。（９ｂ）の場合、手摺Ｔを水平方向と垂直方向とに連続した形状で取付けると、体Ｍを前方に移しながら立ち上がるのが容易である。（９ｃ）の場合、手摺Ｔを水平に取付けると、体Ｍを前方へ移動するのに役立つのである。これらは、トイレのおかれている条件、障害の程度等で選択すればよい。また、図６の形式も含めて、トイレばかりでなく、浴室、寝室、廊下と部屋の出入り口等にも、それぞれの条件にあった形を組合せると、最適な手摺システムが得られる。
【００１８】
また、図１０、図１１は図７、図８の応用例としての肘掛椅子Ｋで、該肘掛椅子Ｋの肘掛１４ｈ，１４ｈは、扁平部材１４の変形であって、図１１において、腰掛ている人の体Ｍの中心部Ｇ側方近傍までは幅広くし、それから前方になるに従って漸次細く、すなわち、体Ｍの中心部Ｇから遠ざかるに従って幅狭に形成する。肘掛１４ｈ上の手Ｈが体Ｍの中心部Ｇ側方位置に位置するときには、手Ｈの指が開き勝手で、ゆったりとした姿勢を保持でき、立上り等の動作の前には、手Ｈを肘掛１４ｈの先端部に移すと、手Ｈの指は、体Ｍの中心部Ｇから遠ざかって、握り勝手となって、肘掛１４ｈの先端幅狭部分をしっかりと握り締ることができて、体Ｍの安定がはかれ、つぎの動作に移りやすい。特に、実施例の肘掛椅子Ｋをポ−タブルトイレと兼用すると、高齢者向けとして有効である。
【００１９】
また、図１２の場合、路線バスや路線電車の車両５内に人の移動動線に沿って連続的に配設して、手Ｈで握り締めるのに都合の良い断面をした長手の部材１からなる手摺Ｔで、先ず、人の体より高い天井裏に吊り下げ状に取付けられた吊り棒１５ａは当然体Ｍの頭より高い位置にあるため、手Ｈの指は握り勝手の形となり、最も細いタイプの平行部材１５でよい。以下、平行部材１５とは、その断面形が丸、角型に関係なく外観側面視において、一方の外形と他方の外形とが平行している長手の部材１のことをいう。さらに、連続して、縦方向の手摺Ｔ部材１に移ると、その上端部は、前記吊り棒１５ａと同じ径にし、下方になるに従って、太くし、人の体Ｍの中心部Ｇ当りを最も太く、それより下方は、下端の床の取付座１２まで同一径の平行部材１５でよい。
前記縦方向の手摺Ｔ部材１の最も径の太い位置、すなわち、人の体Ｍの中心部Ｇあたりより分岐して、横部材１６を配設すると、手Ｈの指は開き勝手となっていて、太いものを掴み易く、かつ、体Ｍを手Ｈの平で支えるのによく、体Ｍの中心部Ｇあたりで、横部材１６で支えながら、手Ｈで乗車料金等を精算し、移動することもできる。最後に出口に向かって扁平部材１４等を下方に向けて配設すればよぃ。
この方法は、出口の性格によって、いくつかの選択ができる。
例えば、図１３の場合、人の乗り降りにおいて、手摺Ｔを縦に配設しておくと、手摺Ｔを介して、体Ｍを引き寄せるのに役立つのである。
【００２０】
つぎに、図１４のように、長い階段６等に人の移動動線に従って設ける手摺Ｔの場合、下側を太く、上側を細くしておくと、連続的に長く続かない。そこで、手摺Ｔを接続手摺１７ａ……とし、一定間隔おきに、差し込み等の公知技術にて、連続して配設すればよい。
【００２１】
また、図１５、図１６、図１７は、手摺Ｔの部材１の外周形状に関するもので、図１５の部材１の外形１８は、凹凸外形１８ａの波形をしており、全体として、上端部Ａが小径ｓで、下端部Ｃが太い大径ｍになっており、この場合も連続した外形面であって、部材１の握りやすさと合わせて、部材１の凹凸外形１８ａから手Ｈが下方に移る（図示してない）に従って、指先が滑らなくなり、良い結果が得られるのである。
【００２２】
また、図１６の場合、手摺Ｔの平行部材１５は従来のもので、応急的に手摺Ｔの外形１８を下端部Ｃにおいて太い大径ｍに、上端部Ａにおいて細い小径ｓを形成したいとき、市販の厚みのある粘着テ−プ等の装着部材７を巻きつけて装着すれば、希望の形状のテ−プ外形１８ｂを形成出来る。この場合は、その現場にて、最適の外形を提供できて、好都合である。
また、図１７の場合、手摺Ｔの平行部材１５にスポンジ等の装着部材７を巻きつけて装着すれば、スポンジ外形１８ｃを形成し、下端部Ｃにおいて太い大径ｍ、上端部Ａにおいて細い小径ｓに形成していくと、希望の形状のスポンジ外形１８ｃが得られる。この場合、スポンジ外形１８ｃはスポンジのため、弾性があり、掴みやすく、手Ｈ（図示してない）を痛めることがないのである。
なお、装着部材７は粘着テ−プ、スポンジに限らず、布、ゴム、木材、プラスチック、金属等手摺１の表面に都合の良い材料で有ればよい。
【００２３】
【発明の効果】
本発明は、以上説明したように構成されているので、以下に記載されるような効果を奏する。
【００２４】
従来の経験から、手で握り締めるのに都合の良い断面をした部材１を人の体Ｍに合わせて縦方向に配設し、該部材１の断面の外径で下方を大径ｍに、上方を小径ｓにしたから、人の手Ｈの指の自然な動き、手Ｈの指が体Ｍの中心部Ｇに対して、上方位置に移るに従って握り勝手となる性質に合致し、従来のような平行部材１５からなる手摺のように、手摺の上下同一径の場合、手摺の中程は手Ｈの指の自然な開き具合と合致して握り良いが、上方は指の開き具合に対して手摺の外径が太くなりすぎ、下方は指の開き具合に対して細すぎるようなことはなく、結果、手摺Ｔのどの位置を掴もうとも、掴むのに最適の太さの手摺Ｔを提供できる。
【００２５】
また、手摺Ｔ外径の上下太さの変化を連続的に形成しているため、手摺Ｔのある位置を掴んでいる手Ｈを、下方に滑らせるのみで、指を締めることなく手摺Ｔの径が太くなって、手Ｈの握力を強めたことと同じ結果となり、握力の弱い高齢者や障害者に都合がよい。
【００２６】
手Ｈで握り締めるのに都合の良い断面をした長手の部材１を人の体Ｍに合わせて横方向に配設し、該部材１の断面の外径の体Ｍ中心位置Ｇ近くを大径ｍに、体Ｍ中心位置Ｇから遠ざかるに従って小径ｓにしたから、洋式便器、椅子等に腰掛た状態から、手Ｈを前方にのばして立ち上がる場合、手摺Ｔを掴むのに、手Ｈの指が体Ｍ中心部Ｇから遠ざかるに従って握り込もうとする性質に合致し、手摺Ｔを掴みやすく、逆に、手元側（体Ｍの中心部Ｇ近傍）は手摺Ｔが太く、手摺Ｔを掴みやすく、かつ手Ｈの平で体Ｍを支えやすい。また、手摺Ｔの外径が連続して変化しているため、一度握った指を締め付けなくても、手Ｈを手前側に引くのみで、手Ｈの握力を強めたのと同じとなって、体Ｍの引き寄せが容易である。
【００２７】
手摺Ｔの部材１を移動動作中の体Ｍの動きの方向に合わせて配設し、移動動作前の体Ｍ中心部Ｇ近くを大径ｍに、前記体Ｍ中心部Ｇから遠ざかるに従って小径ｓに部材１を形成したから、特に力の掛る静止動作から移動動作に移るとき、手摺を掴むのに、手摺の外径の変化が有効に働き、体Ｍを安定させることができる。
【００２８】
手摺Ｔの部材１を扁平部材１４とし、かつ、体Ｍ中心部Ｇ近くを幅広に、体Ｍ中心部Ｇから遠ざかるに従って、幅狭に形成したから、体Ｍの静止時には、幅広の扁平部材１４にて体Ｍを支えやすく、移動時には幅狭の扁平部材１４を掴みやすい。
【００２９】
従来型の平行部材１５の外周に装着部材７を装着して、手摺Ｔの外径に変化を与えることによって、既設の手摺にも手摺を取替えることなく、簡単に、手元が太く、先が細い手摺Ｔを提供でき、合わせて、その現場、すなわち、高齢者や障害者の程度に応じた個々の最適な形状の手摺Ｔ外径を得られ、かつ、その材質も、適材適所の材料を使用して、より機能性の高い手摺Ｔを提供できる  。
【００３０】
体Ｍの移動動線に沿って手摺Ｔを配設し、かつ、その移動動作の特徴に合わせて従来の平行部材１５、手元側を太く、先側を細くした部材１、扁平部材１４、および装着部材７等を選択して連続的に組合せたから、その移動中の特有の動作にかなった手摺Ｔを提供できながら、連続しているため、手摺Ｔから手Ｈを離すことなく、連続的な移動が可能となり、安全である。
【図面の簡単な説明】
【図１】本発明を玄関に装着した正面図である。
【図２】図１の矢視Ｄ拡大図である。
【図３】図２のＡ−Ａ、Ｂ−Ｂ、Ｃ−Ｃの各線での矢視切断面拡大図である。
【図４】図２においての、人による使用状態図である。
【図５】図４の使用状態の変化例を示す要部拡大図である。
【図６】本発明を洋式トイレ内に装着した正面図である。
【図７】図６の変形例図である。
【図８】図７の矢視Ｅ要部拡大図である。
【図９】図６の変形例を示す簡略図である。
【図１０】図７の変形例である肘掛椅子Ｋの斜視図である。
【図１１】図１０の使用状態を示す上面図である。
【図１２】車両５内に配設された本発明と、その使用状態図である。
【図１３】車両５の出入り部に本発明を装着し、その使用状態を示す簡略図である。
【図１４】本発明を階段室の壁に装着した応用例図である。
【図１５】本発明の部材１の要部拡大応用断面図である。
【図１６】図１５の応用例図である。
【図１７】図１６の変形例図である。
【符号の説明】
Ａ      上端部            １１      脚
Ｂ      中程              １２      取付座
Ｃ      下端部            １４      扁平部材
Ｇ      中心部            １５      平行部材
Ｈ      手                １６      横部材
Ｋ      肘掛椅子          １８      外形
Ｍ      体                ２１      ドア−
Ｔ      手摺              ２３      壁
ｍ      大径              ２４      ノブ
ｎ      中径              １３ｆ    傾斜部材
ｓ      小径              １４ｅ    水平部材
１      部材              １４ｆ    先細部材
２      玄関              １４ｇ    先端部材
４      便器              １４ｈ    肘掛
５      車両              １７ａ    接続手摺
６      階段              １８ａ    凹凸外形
７      装着部材          １８ｂ    テ−プ外形
１８ｃ    スポンジ外形
【図１】
0003624385.tif 000002
【図２】
0003624385.tif 000003
【図３】
0003624385.tif 000004
【図４】
0003624385.tif 000005
【図５】
0003624385.tif 000006
【図６】
0003624385.tif 000007
【図７】
0003624385.tif 000008
【図８】
0003624385.tif 000009
【図９】
0003624385.tif 000010
【図１０】
0003624385.tif 000011
【図１１】
0003624385.tif 000012
【図１２】
0003624385.tif 000013
【図１３】
0003624385.tif 000014
【図１４】
0003624385.tif 000015
【図１５】
0003624385.tif 000016
【図１６】
0003624385.tif 000017
【図１７】
0003624385.tif 000018